(57)【要約】      （修正有）【課題】ユーザ自身が被写体となって自分自身で撮影する際にユーザ操作の負担を軽減し、利便性の向上した撮像装置、制御方法及びプログラムを提供する。【解決手段】ＣＰＵ１８は、撮影画角内に人物（被写体＝撮影者）が入ると、モーション検出を起動する。ＣＰＵ１８は、ＣＣＤ１３による撮影画角内のアイコンＢ近傍で被写体の第１のモーションが検出されると、撮影待機状態とする。次いで、ＣＰＵ１８は、上記第１のモーションに続く第２のモーションがアイコンＢ近傍で検出されると、第１のモーションから第２のモーションまでの経過時間Ｔに基づいて撮影パラメータ値を変更し、ＣＣＤ１３等による撮影動作を実行させる。【選択図】図２
2015119242.tif 000002
【特許請求の範囲】
【請求項１】
撮像手段と、
前記撮像手段による撮影画角内で被写体の動作を検出する検出手段と、
前記検出手段によって前記撮影画角内で被写体の第１の動作が検出され、前記検出手段によって前記撮影画角内で前記第１の動作に続く第２の動作が検出されると、前記第１の動作から前記第２の動作までの経過時間に基づいて撮影パラメータ値を変更する制御手段と、
を備えることを特徴とする撮像装置。
【請求項２】
前記制御手段は、
前記検出手段によって第１の動作が検出されると、撮影待機状態とし、前記検出手段によって前記第１の動作に続く第２の動作が検出されると、前記第１の動作から前記第２の動作までの経過時間に基づいて撮影パラメータ値を変更して前記撮像手段に撮影動作を実行させる、
ことを特徴とする請求項１に記載の撮像装置。
【請求項３】
前記第１の動作及び前記第２の動作は、前記撮影画角内の第１の領域に対して手をかざした後、その手を外す動作である、
ことを特徴とする請求項１又は２に記載の撮像装置。
【請求項４】
前記第１の動作は、前記撮影画角内の第１の領域に対して手をかざす動作であり、
前記第２の動作は、前記第１の領域に対してかざした手を外す動作である、
ことを特徴とする請求項１又は２に記載の撮像装置。
【請求項５】
前記制御手段は、
前記検出手段によって前記撮影画角内で被写体の第３の動作が検出されると、設定対象となる撮影パラメータを変更する、
ことを特徴とする請求項１乃至４の何れか１項に記載の撮像装置。
【請求項６】
前記検出手段は、
前記撮影画角内の第１の領域における動作を、前記第１の動作と前記第２の動作として検出し、前記撮影画角内の第２の領域における動作を、前記第３の動作として検出する、
ことを特徴とする請求項５に記載の撮像装置。
【請求項７】
前記第３の動作は、前記第２の領域に対して手をかざした後、その手を外す動作である、
ことを特徴とする請求項６に記載の撮像装置。
【請求項８】
前記制御手段は、
前記第２の領域で前記第３の動作が検出される度に、複数の撮影パラメータのうち、設定対象となる撮影パラメータを順次切り替える、
ことを特徴とする請求項６又は７に記載の撮像装置。
【請求項９】
前記制御手段は、
前記検出手段によって前記第２の動作が検出されると、前記第１の動作から前記第２の動作までの経過時間に基づいて撮影パラメータ値を変更し、さらに、前記検出手段によって前記撮影画角内で被写体の第４の動作が検出されると、前記撮像手段に撮影動作を実行させる、
ことを特徴とする請求項１乃至４の何れか１項に記載の撮像装置。
【請求項１０】
前記第４の動作は、前記撮影画角内の第３の領域に対して手をかざした後、その手を外す動作である、
ことを特徴とする請求項９に記載の撮像装置。
【請求項１１】
前記第４の動作は、前記撮影画角内の第３の領域に対して手をかざす動作であり、
前記制御手段は、前記第４の動作の継続時間に基づいて前記撮像手段による撮影動作開始までの待機時間を設定する、
ことを特徴とする請求項９に記載の撮像装置。
【請求項１２】
撮像手段を備える撮像装置の制御方法であって、
前記撮像手段による撮影画角内で被写体の第１の動作を検出するステップと、
前記撮像手段による撮影画角内で被写体の第２の動作を検出するステップと、
前記撮影画角内で被写体の第１の動作が検出され、前記撮影画角内で前記第１の動作に続く第２の動作が検出されると、前記第１の動作から前記第２の動作までの経過時間に基づいて撮影パラメータ値を変更するステップと、
を含むことを特徴とする制御方法。
【請求項１３】
撮像手段を備える撮像装置を制御するコンピュータに、
前記撮像手段による撮影画角内で被写体の第１の動作を検出する機能、
前記撮像手段による撮影画角内で被写体の第２の動作を検出する機能、
前記撮影画角内で被写体の第１の動作が検出され、前記撮影画角内で前記第１の動作に続く第２の動作が検出されると、前記第１の動作から前記第２の動作までの経過時間に基づいて撮影パラメータ値を変更する機能、
を実行させることを特徴とするプログラム。
【発明の詳細な説明】
【技術分野】
【０００１】
本発明は、撮像装置、制御方法及びプログラムに関する。
【背景技術】
【０００２】
近年、デジタルカメラやスマートフォン等の撮像装置において、スポーツシーンや旅先での撮影、商品説明など、ユーザ自身が被写体となって自分自身で撮影する、いわゆる自分撮りを行うことが増えてきている。このような自分撮りを行う場合、自動的に撮影する機能として、セルフタイマ機能を用いることが一般的である。
【０００３】
しかしながら、セルフタイマ機能では、シャッタボタンを押下してから撮影開始までの待機時間を複数の中から選択することができるものの、任意に設定できない。また、断続的に撮影を繰り返し行いたい場合に、セルフタイマ機能では、その都度、セルフタイマ機能を設定し直さなければならない。
【０００４】
そこで、ユーザ負担や利便性の向上を考え、撮影される画角内の被写体の動きを検出して自動で撮影を行うというモーションシャッタ技術や（例えば特許文献１）、被写体の移動に応じて種類別処理を実行する技術（例えば特許文献２参照）などが知られている
【先行技術文献】
【特許文献】
【０００５】
【特許文献１】特開２００５−３３３４２０号公報
【特許文献２】特開２０１３−１４６０１１号公報
【発明の概要】
【発明が解決しようとする課題】
【０００６】
上記特許文献１による従来技術では、被写体の動きや移動に応じて、自動撮影や種類別処理を実行することは可能である。しかしながら、撮影過程で、撮影パラメータやモードなどを変更したい場合には、その都度、デジタルカメラを手動で操作する必要がある。このため、撮影パラメータやモードなどを調整しながら撮影を行う場合には、上述したセルフタイマ機能と同様、ユーザ操作の負担が大きく、利便性に欠けるという問題があった。
【０００７】
そこで本発明は、ユーザ操作の負担を軽減し、利便性を向上させることを目的とする。
【課題を解決するための手段】
【０００８】
この発明は、撮像手段と、前記撮像手段による撮影画角内で被写体の動作を検出する検出手段と、前記検出手段によって前記撮影画角内で被写体の第１の動作が検出され、前記検出手段によって前記撮影画角内で前記第１の動作に続く第２の動作が検出されると、前記第１の動作から前記第２の動作までの経過時間に基づいて撮影パラメータ値を変更する制御手段と、を備えることを特徴とする撮像装置である。
【０００９】
この発明は、撮像手段を備える撮像装置の制御方法であって、前記撮像手段による撮影画角内で被写体の第１の動作を検出するステップと、前記撮像手段による撮影画角内で被写体の第２の動作を検出するステップと、前記撮影画角内で被写体の第１の動作が検出され、前記撮影画角内で前記第１の動作に続く第２の動作が検出されると、前記第１の動作から前記第２の動作までの経過時間に基づいて撮影パラメータ値を変更するステップと、を含むことを特徴とする制御方法である。
【００１０】
この発明は、撮像手段を備える撮像装置を制御するコンピュータに、前記撮像手段による撮影画角内で被写体の第１の動作を検出する機能、前記撮像手段による撮影画角内で被写体の第２の動作を検出する機能、前記撮影画角内で被写体の第１の動作が検出され、前記撮影画角内で前記第１の動作に続く第２の動作が検出されると、前記第１の動作から前記第２の動作までの経過時間に基づいて撮影パラメータ値を変更する機能、を実行させることを特徴とするプログラムである。
【発明の効果】
【００１１】
この発明によれば、ユーザ操作の負担を軽減し、利便性を向上させることができる。
【図面の簡単な説明】
【００１２】
【図１】第１実施形態によるデジタルカメラ１０の外観構成を示す外観図である。
【図２】第１実施形態によるデジタルカメラ１０の構成を示すブロック図である。
【図３】第１実施形態によるデジタルカメラ１０のパラメータテーブルを示す概念図である。
【図４】第１実施形態によるデジタルカメラ１０の動作を説明するためのフローチャートである。
【図５】第１実施形態によるデジタルカメラ１０の動作を説明するためのフローチャートである。
【図６】第１実施形態によるデジタルカメラ１０の表示例を示す模式図である。
【図７】第１実施形態の変形例によるデジタルカメラ１０の表示例を示す模式図である。
【図８】第２実施形態によるデジタルカメラ１０の動作を説明するためのフローチャートである。
【図９】第２実施形態によるデジタルカメラ１０の動作を説明するためのフローチャートである。
【図１０】第２実施形態によるデジタルカメラ１０の表示例を示す模式図である。
【図１１】第２実施形態の変形例によるデジタルカメラ１０の表示例を示す模式図である。
【発明を実施するための形態】
【００１３】
以下、本発明の実施の形態を、図面を参照して説明する。
【００１４】
Ａ．第１実施形態
まず、本発明の第１実施形態について説明する。
Ａ−１．第１実施形態の構成
図１（ａ）〜（ｃ）は、本発明の第１実施形態によるデジタルカメラ１０の外観構成を示す外観図である。図１（ａ）は、デジタルカメラ１０の正面から見た斜視図、同図（ｂ）は、デジタルカメラ１０の背面図、同図（ｃ）は、デジタルカメラ１０の自分撮り時における使用形態を示す斜視図である。図１（ａ）に示すように、デジタルカメラ１０の正面には、レンズやズーム機構などを備える鏡胴１１０が設けられているとともに、デジタルカメラ１０の上部には、シャッタボタン２３ａや、撮影モード設定ダイヤル２３ｂなどが配設されている。
【００１５】
図１（ｂ）に示すように、デジタルカメラ１０の背面には、チルト機構（図示せず）を介して表示部２２が配設されているとともに、各種機能キーやＳＥＴキー、十字キーなどの操作キー２３ｃが配設されている。上記表示部２２は、自分撮りを行う際に、図１（ｃ）に示すように、チルト機構（図示せず）によって、その表示画面を被写体（＝撮影者）側に向けることができるようになっている。被写体（＝撮影者）は、自分撮りの際に、被写体（＝撮影者）側に向けられた表示部２２の表示画面に表示される、撮影パラメータや動作モードなどを確認することが可能となっている。
【００１６】
図２は、本発明の第１実施形態によるデジタルカメラ１０の構成を示すブロック図である。図において、デジタルカメラ１０は、撮像レンズ１１、絞り兼用シャッタ１２、ＣＣＤ１３、ＴＧ（Timing Generator）１４、ユニット回路１５、画像処理部１６、レンズ駆動部１７、ＣＰＵ１８、ＤＲＡＭ１９、メモリ２０、フラッシュメモリ２１、表示部２２、キー入力部２３、カードＩ／Ｆ２４、及びメモリ・カード２５を備えている。
【００１７】
撮像レンズ１１は、ズームレンズ、フォーカスレンズを含み、レンズ駆動部１７が接続されている。レンズ駆動部１７は、ＣＰＵ１８からの制御信号に従って撮像レンズ１１を駆動し、オートフォーカス駆動やズーム駆動などを行う。絞り兼用シャッタ１２は、図示しない駆動回路を含み、駆動回路によってＣＰＵ１８から送られてくる制御信号に従って動作する。該絞り兼用シャッタ１２は、撮像レンズ１１から入ってくる光の量を制御する。ＣＣＤ（撮像素子）１３は、撮像レンズ１１、及び絞り兼用シャッタ１２を介して投影された被写体の光を電気信号に変換し、撮像信号としてユニット回路１５に出力する。該ＣＣＤ１３は、ＴＧ１４によって生成されたタイミング信号に従って駆動される。
【００１８】
ユニット回路１５は、ＣＣＤ１３から出力される撮像信号を相関二重サンプリングして保持するＣＤＳ（Correlated Double Sampling）回路、そのサンプリング後の撮像信号の自動利得調整を行うＡＧＣ（Automatic Gain Control）回路、その自動利得調整後のアナログの撮像信号をデジタル信号に変換するＡ／Ｄ変換器から構成されている。該ユニット回路１５は、ＴＧ１４によって生成されたタイミング信号に従って駆動される。ＣＣＤ１３の撮像信号は、ユニット回路１５を経てデジタル信号として画像処理部１６に送られる。
【００１９】
画像処理部１６は、ユニット回路１５から送られてきた画像データの画像処理（画素補間処理、γ補正、輝度色差信号の生成、ホワイトバランス処理、露出補正処理等）、画像データの圧縮・伸張（例えば、ＪＰＥＧ形式やＭ−ＪＰＥＧ形式又はＭＰＥＧ形式の圧縮・伸張）の処理、撮像画像のトリミングや撮像画像のデジタルズームなどの処理などを行う。該画像処理部１６は、ＴＧ１４によって生成されたタイミング信号に従って駆動される。
【００２０】
ＣＰＵ１８は、デジタルカメラ１０の各部を制御するワンチップマイコンである。特に、本第１実施形態では、ＣＰＵ１８は、ズーム／ワイド操作時やオートフォーカスのためのレンズ駆動部１７の制御や、画像処理部１６による撮像画像に対する画像処理、画像処理後の撮像画像の表示部２２への表示（ライブビュー表示）の動作（詳細は後述）などを制御する。
【００２１】
ＤＲＡＭ１９は、ＣＣＤ１３によって撮像された後、ＣＰＵ１８に送られてきた画像データを一時記憶するバッファメモリとして使用されるとともに、ＣＰＵ１８のワーキングメモリとして使用される。上記ＣＰＵ１８は、ＤＲＡＭ１９に保存された撮像画像に対して上述した処理を施すよう制御する。メモリ２０は、ＣＰＵ１８によるデジタルカメラ１０の各部の制御に必要なプログラム、及び各部の制御に必要なデータが記録されており、ＣＰＵ１８は、このプログラムに従って処理を行う。フラッシュメモリ２１や、メモリ・カード２５は、ＣＣＤ１３によって撮像された画像データなどを保存しておく記録媒体である。
【００２２】
表示部２２は、カラー液晶表示器とその駆動回路を含み、撮像待機状態にあるときには、ＣＣＤ１３によって撮像された撮像画像をライブビュー画像として表示し、記録画像の再生時には、フラッシュメモリ２１や、メモリ・カード２５から読み出され、伸張された記録画像を表示する。キー入力部２３は、シャッタボタン２３ａ、撮影モード設定ダイヤル２３ｂ、ズームスイッチ、ＳＥＴキー、十字キー等の操作キー２３ｃを含み、ユーザのキー操作に応じた操作信号をＣＰＵ１８に出力する。カードＩ／Ｆ２４には、デジタルカメラ１０本体の図示しないカードスロットを介してメモリ・カード２５が着脱自在に装着されている。
【００２３】
特に、本第１実施形態では、ＣＰＵ１８は、自分撮りする際に、モーション検出を起動する。モーション検出が起動されると、ＣＰＵ１８は、被写体（＝撮影者）側に向けられた表示部２２の表示画面に、設定すべきパラメータを指定（変更）するためのモーションを検出するためのアイコンＡを表示するとともに、被写体（＝撮影者）のシャッタ押下に相当するモーションを検出するためのアイコンＢを表示する。撮影者は、所望するパラメータを指定する際には、表示部２２の表示画面に表示されているアイコンＡ近傍に自身の手がくるように、デジタルカメラ１０に向かって手をかざす動作を行う。デジタルカメラ１０では、ＣＰＵ１８が撮影画角内のモーションを監視しており、アイコンＡ近傍で手をかざした後、その手を外す動作（所定のモーション；第３の動作）が検出されると、この一連の動作が検出される度に、設定すべきパラメータを順次変更する。なお、アイコン近傍とは、アイコンの周囲、あるいはアイコンに重なってもよいことを意味する。
【００２４】
また、撮影者は、上述したようにパラメータを指定した後、そのパラメータ値を設定する際には、表示部２２の表示画面に表示されているアイコンＢ近傍に自身の手がくるように、デジタルカメラ１０に向かって手をかざした後、その手を外す動作を２回行う。デジタルカメラ１０では、ＣＰＵ１８がアイコンＢ近傍で手をかざした後、その手を外す動作を検出すると、１回目の一連の動作（第１のモーション；第１の動作）から２回目の一連の動作（第２のモーション；第２の動作）の時間間隔Ｔを計時し、該時間間隔Ｔの長さに応じて、上記パラメータ値を設定する。その後、その時点のパラメータ値に従って画像の撮影（静止画、動画など）を行う。つまり、アイコンＢ近傍での１回目、２回目の一連の動作は、パラメータ値の設定とともに、撮影開始（シャッタ押下）の実行を行うことを意味する。
【００２５】
図３は、第１実施形態によるデジタルカメラ１０のパラメータテーブルを示す概念図である。図３には、上述したパラメータの一例を示している。具体的には、パラメータとして、撮影モード、撮影モード２、静止画画質、静止画サイズ、動画モード、ＥＶシフト、シャープネス、彩度、コントラスト、メイクアップレベル、アートレベル、ＩＳＯ感度、絞り、シャッタスピード、及びセルフタイマがある。パラメータには、それぞれのパラメータを区別するために、フラグＰＦが設定されている。図示の例では、撮影モードがＰＦ＝０、撮影モード２がＰＦ＝１、…、絞りがＰＦ＝１２、シャッタスピードがＰＦ＝１３、及びセルフタイマがＰＦ＝１４としている。
【００２６】
パラメータ値は、上述したように、アイコンＢ近傍での１回目の動作から２回目の動作までの時間間隔Ｔに応じて設定される。例えば、パラメータ「撮影モード」については、時間間隔Ｔ＝０〜５秒で静止画撮影、時間間隔Ｔ＝５〜１０秒で動画撮影、時間間隔Ｔ＝１０秒以上で撮影中止に設定される。また、パラメータ「撮影モード２」については、時間間隔Ｔ＝０〜５秒で静止画の一枚撮影、時間間隔Ｔ＝５〜１０秒で静止画の連続撮影、時間間隔Ｔ＝１０秒以上で撮影中止に設定される。
【００２７】
また、パラメータ「静止画画質」については、時間間隔Ｔ＝０〜５秒で標準−Ｎ、時間間隔Ｔ＝５〜１０秒で高精細−Ｆ、時間間隔Ｔ＝１０秒以上で撮影中止に設定される。また、パラメータ「静止画サイズ」については、時間間隔Ｔ＝０〜２秒で３Ｍ、時間間隔Ｔ＝２〜４秒で８Ｍ、時間間隔Ｔ＝４〜６秒で１２Ｍ（１６：９）、時間間隔Ｔ＝６〜８秒で１２Ｍ（３：２）、時間間隔Ｔ＝８〜１０秒で１２Ｍ、時間間隔Ｔ＝１０〜１２秒で１２Ｍ  ＪＰＥＧ＋ＲＡＷ、時間間隔Ｔ＝１２秒以上で撮影中止に設定される。
【００２８】
また、パラメータ「動画モード」については、時間間隔Ｔ＝０〜２秒でＦＨＤ、時間間隔Ｔ＝２〜４秒でＳＴＤ、時間間隔Ｔ＝４〜６秒でＨＳ１２０、時間間隔Ｔ＝６〜８秒でＨＳ２４０、時間間隔Ｔ＝８〜１０秒でＨＳ４８０、時間間隔Ｔ＝１０〜１２秒でＨＳ１０００、時間間隔Ｔ＝１２秒以上で撮影中止に設定される。また、パラメータ「ＥＶシフト」については、時間間隔Ｔ＝０〜１秒で−２．０、時間間隔Ｔ＝１〜２秒で−１．７、時間間隔Ｔ＝２〜３秒で−１．３、時間間隔Ｔ＝３〜４秒で−１．０、時間間隔Ｔ＝４〜５秒で−０．７、時間間隔Ｔ＝５〜６秒で−０．３、時間間隔Ｔ＝６〜７秒で０．０、時間間隔Ｔ＝７〜８秒で＋０．３、時間間隔Ｔ＝８〜９秒で＋０．７、時間間隔Ｔ＝９〜１０秒で＋１．０、時間間隔Ｔ＝１０〜１１秒で＋１．３、時間間隔Ｔ＝１１〜１２秒で＋１．７、時間間隔Ｔ＝１２〜１３秒で＋２．０、時間間隔Ｔ＝１３秒以上で撮影中止に設定される。
【００２９】
また、パラメータ「シャープネス」については、時間間隔Ｔ＝０〜２秒で−２、時間間隔Ｔ＝２〜４秒で−１、時間間隔Ｔ＝４〜６秒で０、時間間隔Ｔ＝６〜８秒で＋１、時間間隔Ｔ＝８〜１０秒で＋２、時間間隔Ｔ＝１０秒以上で撮影中止に設定される。また、パラメータ「彩度」については、時間間隔Ｔ＝０〜２秒で−３、時間間隔Ｔ＝２〜４秒で−２、時間間隔Ｔ＝４〜６秒で−１、時間間隔Ｔ＝６〜８秒で０、時間間隔Ｔ＝８〜１０秒で＋１、時間間隔Ｔ＝１０〜１２秒で＋２、時間間隔Ｔ＝１２〜１４秒で＋３、時間間隔Ｔ＝１４秒以上で撮影中止に設定される。
【００３０】
また、パラメータ「コントラスト」については、時間間隔Ｔ＝０〜２秒で−３、時間間隔Ｔ＝２〜４秒で−２、時間間隔Ｔ＝４〜６秒で−１、時間間隔Ｔ＝６〜８秒で０、時間間隔Ｔ＝８〜１０秒で＋１、時間間隔Ｔ＝１０〜１２秒で＋２、時間間隔Ｔ＝１２〜１４秒で＋３、時間間隔Ｔ＝１４秒以上で撮影中止に設定される。また、パラメータ「メイクアップレベル」については、時間間隔Ｔ＝０〜１秒でＬｅｖ．１、時間間隔Ｔ＝１〜２秒でＬｅｖ．２、時間間隔Ｔ＝２〜３秒でＬｅｖ．３、時間間隔Ｔ＝３〜４秒でＬｅｖ．４、時間間隔Ｔ＝４〜５秒でＬｅｖ．５、時間間隔Ｔ＝５〜６秒でＬｅｖ．６、時間間隔Ｔ＝６〜７秒でＬｅｖ．７、時間間隔Ｔ＝７〜８秒でＬｅｖ．８、時間間隔Ｔ＝８〜９秒でＬｅｖ．９、時間間隔Ｔ＝９〜１０秒でＬｅｖ．１０、時間間隔Ｔ＝１０〜１１秒でＬｅｖ．１１、時間間隔Ｔ＝１１〜１２秒でＬｅｖ．１２、時間間隔Ｔ＝１２秒以上で撮影中止に設定される。
【００３１】
また、パラメータ「アートレベル」については、時間間隔Ｔ＝０〜２秒でＬｅｖ．１、時間間隔Ｔ＝２〜４秒でＬｅｖ．２、時間間隔Ｔ＝４〜６秒でＬｅｖ．３、時間間隔Ｔ＝６〜８秒でＬｅｖ．ＥＸ１、時間間隔Ｔ＝８〜１０秒でＬｅｖ．ＥＸ２、時間間隔Ｔ＝１０秒以上で撮影中止に設定される。また、パラメータ「ＩＳＯ感度」については、時間間隔Ｔ＝０〜１秒で８０、時間間隔Ｔ＝１〜２秒で１００、時間間隔Ｔ＝２〜３秒で２００、時間間隔Ｔ＝３〜４秒で４００、時間間隔Ｔ＝４〜５秒で８００、時間間隔Ｔ＝５〜６秒で１６００、時間間隔Ｔ＝６〜７秒で３２００、時間間隔Ｔ＝７〜８秒で６４００、時間間隔Ｔ＝８〜９秒で１２８００、時間間隔Ｔ＝９秒以上で撮影中止に設定される。
【００３２】
また、パラメータ「絞り」については、カメラ依存のため、時間間隔Ｔ＝０〜１０秒の範囲で絞りから５段階に切り分けて設定され、時間間隔Ｔ＝１０秒以上で撮影中止に設定される。また、パラメータ「シャッタスピード」については、カメラ依存のため、時間間隔Ｔ＝０〜１０秒の範囲で絞りから５段階に切り分けて設定され、時間間隔Ｔ＝１０秒以上で撮影中止に設定される。また、パラメータ「セルフタイマ」については、時間間隔Ｔ＝０〜２秒で撮影開始までの待機時間を４秒、時間間隔Ｔ＝２〜４秒で８秒、時間間隔Ｔ＝４〜６秒で１２秒、時間間隔Ｔ＝６〜８秒で１６秒、時間間隔Ｔ＝８〜１０秒で２０秒に設定し、時間間隔Ｔ＝１０秒以上で撮影中止に設定される。
【００３３】
Ａ−２．第１実施形態の動作
次に、上述した第１実施形態の動作について説明する。
図４及び図５は、本第１実施形態によるデジタルカメラ１０の動作を説明するためのフローチャートである。図６は、本第１実施形態によるデジタルカメラ１０の表示例を示す模式図である。まず、撮影者（＝被写体）は、デジタルカメラ１０をモーション撮影モードに設定する。デジタルカメラ１０では、モーション撮影モードに設定されると、図４及び図５に示すフローチャートが実行されることになる。
【００３４】
まず、ＣＰＵ１８は、撮影画角内に人物（被写体＝撮影者）が入ったか否かを判断する（ステップＳ１０）。そして、撮影画角内に人物（被写体＝撮影者）が入っていない場合には（ステップＳ１０のＮＯ）、そのまま待機状態（ライブビューの継続）となる。一方、撮影画角内に人物（被写体＝撮影者）が入った場合には（ステップＳ１０のＹＥＳ）、ＣＰＵ１８は、モーション検出を起動する（ステップＳ１２）。モーション検出が起動されると、ＣＰＵ１８は、図６に示すように、表示部２２の所定位置にアイコンＡ、Ｂを表示する。
【００３５】
本第１実施形態では、撮影者（＝被写体）ののモーションを検出するために、撮影画角内における所定の位置での撮影者（＝被写体）の動きを検出するようになっている。このため、撮影画角内における所定の位置を明示するためにアイコンを表示する。なお、デジタルカメラ１０の表示部２２は、図１（ｃ）に示すように、被写体＝撮影者側に向けられているので、被写体＝撮影者は、図６に示すように、表示部２２に表示されるアイコンＡ、Ｂを視認し、該アイコンＡ、Ｂの近傍で自らの手をかざして外すという動作を実行すればよい。上記アイコンＡは、パラメータを変更するモーションを検出するための所定の位置を示し、アイコンＢは、パラメータ値を指定し、撮影（シャッター押下）を指示するモーションを検出するための所定の位置を示す。
【００３６】
次に、ＣＰＵ１８は、アイコンＡの近傍で所定のモーションがあったか否かを判断する（ステップＳ１６）。ここで、所定のモーションとは、アイコンＡの近傍に手をかざした後、一旦、その手を外すという動作に相当する。そして、アイコンＡの近傍で所定のモーションがあった場合には（ステップＳ１６のＹＥＳ）、現在のフラグＰＦ値（初期値＝０）に応じて、設定対象のパラメータを選択する（ステップＳ１８）。次に、ＣＰＵ１８は、フラグＰＦを１つインクリメントし（ステップＳ２０）、フラグＰＦがＭＡＸ（最大値）を越えたか否かを判断する（ステップＳ２２）。本第１実施形態では、フラグＰＦのＭＡＸ（最大値）は、１４である（図３参照）。
【００３７】
そして、フラグＰＦがＭＡＸ（最大値）を越えていない場合には（ステップＳ２２のＮＯ）、モーション撮影の終了操作があったか否かを判断し（ステップＳ２６）、終了していない場合には（ステップＳ２６のＮＯ）、ステップＳ１６に戻る。一方、フラグＰＦがＭＡＸ（最大値）を越えた場合には（ステップＳ２２のＹＥＳ）、フラグＰＦを０に戻し（ステップＳ２４）、モーション撮影の終了操作があったか否かを判断し（ステップＳ２６）、終了していない場合には（ステップＳ２６のＮＯ）、ステップＳ１６に戻る。
【００３８】
従って、アイコンＡ近傍で所定のモーションがある度に、すなわち、撮影画角内に入った撮影者がアイコンＡ近傍に手をかざした後、一旦、外すという動作を繰り返す度に、フラグＰＦが１つずつインクリメントされ、設定対象のパラメータが順次変更されることになる。なお、図４に示すフローチャートには示していないが、設定対象となるパラメータ名（または識別可能な記号やグラフィックアイコンなど）を表示部２２に表示するようにしてもよい。撮影者は、所望するパラメータが設定対象となった時点で、アイコンＡ近傍でのモーションを止めればよい。
【００３９】
例えば、図３に示すように、フラグＰＦ値＝０の場合には、設定対象のパラメータとして「撮影モード」が設定される。同様に、フラグＰＦ値＝１の場合には「撮影モード２」、フラグＰＦ値＝２の場合には「静止画画質」、フラグＰＦ値＝３の場合には「静止画サイズ」、フラグＰＦ値＝４の場合には「動画モード」、フラグＰＦ値＝５の場合には「ＥＶシフト」、フラグＰＦ値＝６の場合には「シャープネス」、フラグＰＦ値＝７の場合には「彩度」、フラグＰＦ値＝８の場合には「コントラスト」、フラグＰＦ値＝９の場合には「メイクアップレベル」、フラグＰＦ値＝１０の場合には「アートレベル」、フラグＰＦ値＝１１の場合には「ＩＳＯ感度」、フラグＰＦ値＝１２の場合には「絞り」、フラグＰＦ値＝１３の場合には「シャッタスピード」、フラグＰＦ値＝１４の場合には「セルフタイマ」が設定される。
【００４０】
一方、アイコンＡの近傍で所定のモーションがなかった場合には（ステップＳ１６のＮＯ）、ＣＰＵ１８は、アイコンＢの近傍で第１のモーションがあったか否かを判断する（図５のステップＳ２８）。ここで、第１のモーションとは、アイコンＢの近傍に手をかざした後、一旦、その手を外すという１回目の動作に相当する。
【００４１】
そして、アイコンＢの近傍で第１のモーションがあった場合には（ステップＳ２８のＹＥＳ）、タイマを起動する（ステップＳ３０）。次に、ＣＰＵ１８は、アイコンＢの近傍で第２のモーションがあったか否かを判断する（ステップＳ３２）。ここで、第２のモーションとは、アイコンＢの近傍に手をかざした後、一旦、その手を外すという２回目の動作に相当する。そして、アイコンＢの近傍で第２のモーションがない場合には（ステップＳ３２のＮＯ）、ステップＳ３２を繰り返し、撮影待機状態となる。これにより、第２のモーションがあるまで、タイマによる計時が継続する。
【００４２】
一方、アイコンＢの近傍で第２のモーションがあった場合には（ステップＳ３２のＹＥＳ）、ＣＰＵ１８は、タイマを停止する（ステップＳ３４）。この時点で、タイマにより計時された時間は、第１のモーションが検出されてから第２のモーションが検出されるまでの経過時間Ｔに相当することになる。ＣＰＵ１８は、タイマの経過時間Ｔに応じて、その時点で設定対象となっているパラメータのパラメータ値を設定する（ステップＳ３６）。なお、上述したタイマによる計時時間Ｔは、リアルタイムで表示部２２に表示してもよいし、その経過時間Ｔに対応するパラメータ値（数字、名称など）をリアルタイムで表示部２２に表示してもよい。
【００４３】
例えば、パラメータ「撮影モード」が設定対象となっている場合には、アイコンＢへのモーションの経過時間Ｔが０〜５秒であれば、静止画撮影に設定され、経過時間Ｔが５〜１０秒であれば、動画撮影に設定される。また、パラメータ「静止画サイズ」が設定対象となっている場合には、アイコンＢへのモーションの経過時間Ｔが０〜２秒までであれば、３Ｍに設定され、経過時間Ｔが２〜４秒であれば、８Ｍに設定され、経過時間Ｔが４〜６秒であれば、１２Ｍ（１６：９）に設定され、経過時間Ｔが６〜８秒であれば、１２Ｍ（３：２）に設定され、経過時間Ｔが８〜１０秒であれば、１２Ｍに設定され、経過時間Ｔが１０〜１２秒であれば、１２Ｍ  ＪＰＥＧ＋ＲＡＷに設定される。以下、他のパラメータについても、図３に示すように、タイマの経過時間Ｔに応じて、それぞれのパラメータ値が設定される。
【００４４】
次に、ＣＰＵ１８は、タイマを初期化し（ステップＳ３８）、表示部２２に表示しているアイコンＡ、Ｂを消去する（ステップＳ４０）。そして、ＣＰＵ１８は、設定されたパラメータ値に従って、ＣＣＤ１３による撮影を行い、ユニット回路１５、画像処理部１６を介して撮影された画像データを取り込み、ＤＲＡＭ１９に一時記憶する（ステップＳ４２）。その後、モーション撮影の終了操作があったか否かを判断し（ステップＳ２６）、終了していない場合には（ステップＳ２６のＮＯ）、ステップＳ１６に戻る。一方、モーション撮影の終了操作があった場合には（ステップＳ２６のＹＥＳ）、当該処理を終了する。
【００４５】
上述した第１実施形態は、例えば、コントラストを変えながら撮影を行う場合などにより有用である。撮影者は、まず、撮影位置で、表示部２２のアイコンＡを視認しながら、該アイコンＡの近傍に自身の手がくるように、手をかざす動作を行った後、一旦、その手を外すという動作（所定のモーション）を、所望のパラメータが選択されまで繰り返す。この一連の動作により、例えば、パラメータ「コントラスト」を選択する。
【００４６】
次に、撮影者は、撮影位置で、表示部２２のアイコンＢを視認しながら、該アイコンＢの近傍に自身の手がくるように、手をかざす動作を行った後、一旦、その手を外し（第１のモーション）、再度、アイコンＢの近傍に自身の手がくるように、手をかざす動作を行った後、その手を外す（第２のモーション）。このとき、第１のモーションと第２のモーションとの経過時間に応じて、パラメータ値が設定された後、撮影が行われる。このようにして、撮影の度にデジタルカメラ１０を手動で操作することなく、所望するパラメータのパラメータ値を変えながら撮影を行うことが可能となる。
【００４７】
上述した第１実施形態によれば、アイコンＢ近傍で被写体の第１のモーションが検出されると、撮影待機状態とし、アイコンＢ近傍で上記第１のモーションに続く第２のモーションが検出されると、第１のモーションから第２のモーションまでの経過時間Ｔに基づいて撮影パラメータ値を変更して撮影動作を実行するようにしたので、撮影の度にデジタルカメラ１０を手動で操作することなく、所望するパラメータのパラメータ値を変えながら撮影を行うことができる。
【００４８】
また、上述した第１実施形態によれば、アイコンＡ近傍で被写体の所定のモーション（第３の動作）が検出されると、設定対象となる撮影パラメータを変更するようにしたので、撮影の度にデジタルカメラ１０を手動で操作することなく、設定対象とするパラメータを変更することができる。
【００４９】
また、上述した第１実施形態によれば、表示画面の一領域に表示されるアイコンＢ近傍における動作を第１のモーション及び第２のモーションとして検出し、異なる領域に表示されるアイコンＡ近傍における動作を所定のモーションとして検出するようにしたので、設定対象とするパラメータの変更とパラメータ値の変更とを容易に行うことができる。
【００５０】
また、上述した第１実施形態によれば、第１のモーション及び第２のモーションを、アイコンＢ近傍で手をかざした後、その手を外す動作としたので、容易に所望するパラメータのパラメータ値を変えることができる。
【００５１】
また、上述した第１実施形態によれば、アイコンＡ近傍で所定のモーション（第３の動作）が検出される度に、設定対象となる撮影パラメータを順次切り替えるようにしたので、簡易な動作で容易に設定対象となるパラメータを変更することができる。
【００５２】
なお、上述した第１実施形態では、撮影者の所定のモーションを検出するために、検出領域を明示するためのアイコンＡ、Ｂを表示するようにしたが、撮影時に表示部２２を上１８０度にチルトしていなかった場合や、表示部２２が固定されているデジタルカメラなどの場合には、図７に示すように、撮影画角内に所定の領域ａ、ｂを設定しておき、該所定の領域ａ、ｂで撮影者の所定のモーションを検出するようにしてもよい。
【００５３】
Ｂ．第２実施形態
次に、本発明の第２実施形態について説明する。
Ｂ−１．第２実施形態の構成
なお、第２実施形態によるデジタルカメラ１０の構成については、上述した第１実施形態と同様であるので説明を省略する。本第２実施形態では、パラメータを選択するためのモーション検出、パラメータ値を設定するためのモーション検出、そして、撮影を指示するためのモーション検出を独立させることを特徴としている。これにより、設定対象とするパラメータの選択、パラメータ値の設定、そして撮影を柔軟に行うことが可能となっている。
【００５４】
Ｂ−２．第２実施形態の動作
次に、上述した第２実施形態の動作について説明する。
図８及び図９は、本第２実施形態によるデジタルカメラ１０の動作を説明するためのフローチャートである。図１０は、本第２実施形態によるデジタルカメラ１０の表示例を示す模式図である。まず、撮影者（＝被写体）は、デジタルカメラ１０をモーション撮影モードに設定する。デジタルカメラ１０では、モーション撮影モードに設定されると、図８及び図９に示すフローチャートが実行されることになる。
【００５５】
まず、ＣＰＵ１８は、撮影画角内に人物（被写体＝撮影者）が入ったか否かを判断する（ステップＳ６０）。そして、撮影画角内に人物（被写体＝撮影者）が入っていない場合には（ステップＳ６０のＮＯ）、そのまま待機状態（ライブビューの継続）となる。一方、撮影画角内に人物（被写体＝撮影者）が入った場合には（ステップＳ６０のＹＥＳ）、ＣＰＵ１８は、モーション検出を起動する（ステップＳ６２）。そして、ＣＰＵ１８は、図１０に示すように、表示部２２の所定位置にアイコンＡ、Ｂ、Ｃを表示する。
【００５６】
本第２実施形態では、第１実施形態と同様に、被写体＝撮影者は、図６に示すように、被写体＝撮影者側に向けられている表示部２２に表示されるアイコンＡ、Ｂ、Ｃを視認し、該アイコンＡ、Ｂ、Ｃの近傍に手が来るように、撮影位置で自らの手をかざすという動作を実行すればよい。上記アイコンＡは、パラメータを変更するモーションを検出するための所定の位置を示し、アイコンＢは、パラメータ値を指定するモーションを検出するための所定の位置を示し、アイコンＣは、撮影（シャッター押下）を指示するモーションを検出するための所定の位置を示す。
【００５７】
次に、ＣＰＵ１８は、アイコンＡの近傍で所定のモーションがあったか否かを判断する（ステップＳ６６）。ここで、所定のモーションとは、アイコンＡの近傍に手をかざした後、一旦、その手を外すという動作に相当する。そして、アイコンＡの近傍で所定のモーションがあった場合には（ステップＳ６６のＹＥＳ）、現在のフラグＰＦ値（初期値＝０）に応じて、設定対象のパラメータを選択する（ステップＳ６８）。次に、ＣＰＵ１８は、フラグＰＦを１つインクリメントし（ステップＳ７０）、フラグＰＦがＭＡＸ（最大値）を越えたか否かを判断する（ステップＳ７２）。本第２実施形態では、フラグＰＦのＭＡＸ（最大値）は、１４である（図３参照）。
【００５８】
そして、フラグＰＦがＭＡＸ（最大値）を越えていない場合には（ステップＳ７２のＮＯ）、モーション撮影の終了操作があったか否かを判断し（ステップＳ７６）、終了していない場合には（ステップＳ７６のＮＯ）、ステップＳ６６に戻る。一方、フラグＰＦがＭＡＸ（最大値）を越えた場合には（ステップＳ７２のＹＥＳ）、フラグＰＦを０に戻し（ステップＳ７４）、モーション撮影の終了操作があったか否かを判断し（ステップＳ７６）、終了していない場合には（ステップＳ７６のＮＯ）、ステップＳ６６に戻る。
【００５９】
従って、アイコンＡ近傍で所定のモーションがある度に、すなわち、撮影画角内に入った撮影者がアイコンＡ近傍に手をかざした後、一旦、外すという動作を繰り返す度に、フラグＰＦが１つずつインクリメントされ、設定対象のパラメータが順次変更されることになる。なお、図８に示すフローチャートには示していないが、設定対象となるパラメータ名（または識別可能な記号やグラフィックアイコンなど）を表示部２２に表示するようにしてもよい。撮影者は、所望するパラメータが設定対象となった時点で、アイコンＡ近傍でのモーションを止めればよい。
【００６０】
一方、アイコンＡの近傍で所定のモーションがなかった場合には（ステップＳ６６のＮＯ）、ＣＰＵ１８は、アイコンＢの近傍で第１のモーションがあったか否かを判断する（図９のステップＳ７８）。ここで、第１のモーションとは、アイコンＢの近傍に手をかざした後、一旦、その手を外すという１回目の動作に相当する。
【００６１】
そして、アイコンＢの近傍で第１のモーションが検出された場合には（ステップＳ７８のＹＥＳ）、タイマを起動する（ステップＳ８０）。次に、ＣＰＵ１８は、アイコンＢの近傍で第２のモーションがあったか否かを判断する（ステップＳ８２）。ここで、第２のモーションとは、アイコンＢの近傍に手をかざした後、一旦、その手を外すという２回目の動作に相当する。そして、アイコンＢの近傍で第２のモーションがない場合には（ステップＳ８２のＮＯ）、ステップＳ８２を繰り返す。これにより、第２のモーションがあるまで、タイマによる計時が継続することになる。
【００６２】
一方、アイコンＢの近傍で第２のモーションを検出した場合には（ステップＳ８２のＹＥＳ）、ＣＰＵ１８は、タイマを停止する（ステップＳ８４）。この時点で、タイマにより計時された時間は、第１のモーションが検出されてから第２のモーションが検出されるまでの経過時間Ｔに相当することになる。ＣＰＵ１８は、タイマの経過時間Ｔに応じて、その時点で設定対象となっているパラメータのパラメータ値を設定する（ステップＳ８６）。なお、上述したタイマによる計時時間Ｔは、リアルタイムで表示部２２に表示してもよいし、その経過時間Ｔに対応するパラメータ値（数字、名称など）をリアルタイムで表示部２２に表示してもよい。
【００６３】
次に、ＣＰＵ１８は、タイマを初期化し（ステップＳ８８）、モーション撮影の終了操作があったか否かを判断し（ステップＳ７６）、終了していない場合には（ステップＳ７６のＮＯ）、ステップＳ６６に戻る。一方、モーション撮影の終了操作があった場合には（ステップＳ７６のＹＥＳ）、当該処理を終了する。
【００６４】
一方、アイコンＢ近傍で第１のモーションが検出されなかった場合には（ステップＳ７８のＮＯ）、ＣＰＵ１８は、アイコンＣの近傍で所定のモーションがあったか否かを判断する（ステップＳ９０）。ここで、所定のモーションとは、アイコンＣの近傍に手をかざした後、一旦、その手を外すという動作に相当する。そして、アイコンＣの近傍で所定のモーションが検出されなかった場合には（ステップＳ９０のＮＯ）、モーション撮影の終了操作があったか否かを判断し（ステップＳ７６）、終了していない場合には（ステップＳ７６のＮＯ）、ステップＳ６６に戻る。
【００６５】
一方、アイコンＣの近傍で所定のモーションが検出された場合には（ステップＳ９０のＹＥＳ）、表示部２２に表示しているアイコンＡ、Ｂ、Ｃを消去する（ステップＳ９２）。そして、ＣＰＵ１８は、設定されたパラメータ値に従って、ＣＣＤ１３による撮影を行い、ユニット回路１５、画像処理部１６を介して撮影された画像データを取り込み、ＤＲＡＭ１９に一時記憶する（ステップＳ９４）。その後、モーション撮影の終了操作があったか否かを判断し（ステップＳ７６）、終了していない場合には（ステップＳ７６のＮＯ）、ステップＳ６６に戻る。一方、モーション撮影の終了操作があった場合には（ステップＳ７６のＹＥＳ）、当該処理を終了する。
【００６６】
上述した第２実施形態は、例えば、複数のパラメータを様々に変えながら撮影を行う場合などにより有用である。撮影者は、まず、撮影位置で、表示部２２のアイコンＡを視認しながら、該アイコンＡの近傍に自身の手がくるように、手をかざす動作を行った後、一旦、その手を外すという動作（所定のモーション）を、所望のパラメータが選択されまで繰り返す。この一連の動作により、例えば、パラメータ「コントラスト」を選択する。
【００６７】
次に、撮影者は、撮影位置で、表示部２２のアイコンＢを視認しながら、該アイコンＢの近傍に自身の手がくるように、手をかざす動作を行った後、一旦、その手を外し（第１のモーション）、再度、アイコンＢの近傍に自身の手がくるように、手をかざす動作を行った後、その手を外す（第２のモーション）。このとき、第１のモーションと第２のモーションとの経過時間Ｔに応じて、パラメータ値、例えば「−２」が設定される。
【００６８】
再び、撮影者は、撮影位置で、アイコンＡの近傍で所定のモーションを行うことで、別のパラメータ、例えば「静止画画質」を選択し、次いで、アイコンＢの近傍で第１のモーションと第２のモーションとを行うことで、その経過時間Ｔに応じて、パラメータ値、例えば「高精細−Ｆ」が設定される。必要に応じて、パラメータの選択とパラメータ値の設定とを繰り返し、所望する撮影条件とする。その後、撮影者は、撮影位置で、アイコンＣの近傍で所定のモーションを行うことで撮影を実行する。このように、撮影の度にデジタルカメラ１０を手動で操作することなく、所望するパラメータやそのパラメータ値を様々に変えながら撮影を行うことが可能となる。
【００６９】
上述した第２実施形態によれば、アイコンＣ近傍で所定のモーション（第４の動作）が検出された時点で撮影動作を実行するようにしたので、設定対象となるパラメータの選択、選択したパラメータ値の変更、および撮影動作の指示を容易に区別することができるとともに、撮影の度にデジタルカメラ１０を手動で操作することなく、所望するパラメータやそのパラメータ値を様々に変えながら撮影を行うことができる。
【００７０】
また、上述した第２実施形態によれば、第１のモーション及び第２のモーションを、アイコンＢ近傍で手をかざした後、その手を外す動作としたので、簡易な動作で容易に所望するパラメータのパラメータ値を変更することができる。
【００７１】
また、上述した第２実施形態によれば、アイコンＡ近傍で所定のモーション（第３の動作）が検出される度に、設定対象となる撮影パラメータを順次切り替えるようにしたので、簡易な動作で容易に設定対象となるパラメータを変更することができる。
【００７２】
なお、上述した第２実施形態では、撮影者の所定のモーションを検出するために、検出領域を明示するためのアイコンＡ、Ｂ、Ｃを表示するようにしたが、撮影時に表示部２２を上１８０度にチルトしていなかった場合や、表示部２２が固定されているデジタルカメラなどの場合には、図１１に示すように、撮影画角内に所定の領域ａ、ｂ、ｃを設定しておき、該所定の領域ａ、ｂ、ｃで撮影者の所定のモーションを検出するようにしてもよい。
【００７３】
また、上述した第２実施形態では、アイコンＣの近傍で所定のモーション（第４の動作）を行うことで撮影を実行するようにしたが、このとき、アイコンＣの近傍で所定のモーションを、アイコンＣの近傍に手がくるように、手をかざす動作を所定のモーションとして検出し、手をかざしている経過時間ＴＴに応じてセルフタイマのカウント時間（０．５秒、１秒、２秒、１０秒など）を設定するようにしてもよい。
【００７４】
また、上述した第１実施形態及び第２実施形態では、第１のモーションと第２のモーションとの経過時間Ｔを計時し、該経過時間Ｔに応じてパラメータ値を設定するようにしたが、これに限らず、第１のモーションをアイコンＢ近傍に手をかざす動作とし、第２のモーションをアイコンＢ近傍にかざしていた手を外す動作とすることで、手をかざしている経過時間ＴＴに応じてパラメータ値を設定するようにしてもよい。この場合、簡易な動作で、容易に所望するパラメータのパラメータ値を変えることができる。
【００７５】
また、上述した第１実施形態及び第２実施形態では、特定のモーションや、第１、第２のモーションを、アイコン近傍で手をかざした後、その手を外す動作としたが、これに限らず、アイコン近傍で手を振る動作や、アイコン近傍で手を開いたり握ったりする動作など、予め決めた検出可能な意図した動きであればよい。
【００７６】
また、上述した第１実施形態及び第２実施形態では、第１のモーションと第２のモーションとの経過時間Ｔを、一例として、表示部２２に表示するとしたが、これに限らず、デジタルカメラ１０自体に配置したＬＥＤやスピーカなどを用いて報知するようにしてもよい。
【００７７】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００７８】
（付記１）
付記１に記載の発明は、撮像手段と、前記撮像手段による撮影画角内で被写体の動作を検出する検出手段と、前記検出手段によって前記撮影画角内で被写体の第１の動作が検出され、前記検出手段によって前記撮影画角内で前記第１の動作に続く第２の動作が検出されると、前記第１の動作から前記第２の動作までの経過時間に基づいて撮影パラメータ値を変更する制御手段と、を備えることを特徴とする撮像装置である。
【００７９】
（付記２）
付記２に記載の発明は、前記制御手段は、前記検出手段によって第１の動作が検出されると、撮影待機状態とし、前記検出手段によって前記第１の動作に続く第２の動作が検出されると、前記第１の動作から前記第２の動作までの経過時間に基づいて撮影パラメータ値を変更して前記撮像手段に撮影動作を実行させる、ことを特徴とする付記１に記載の撮像装置である。
【００８０】
（付記３）
付記３に記載の発明は、前記第１の動作及び前記第２の動作は、前記撮影画角内の第１の領域に対して手をかざした後、その手を外す動作である、ことを特徴とする付記１又は２に記載の撮像装置である。
【００８１】
（付記４）
付記４に記載の発明は、前記第１の動作は、前記撮影画角内の第１の領域に対して手をかざす動作であり、前記第２の動作は、前記第１の領域に対してかざした手を外す動作である、ことを特徴とする付記１又は２に記載の撮像装置である。
【００８２】
（付記５）
付記５に記載の発明は、前記制御手段は、前記検出手段によって前記撮影画角内で被写体の第３の動作が検出されると、設定対象となる撮影パラメータを変更する、ことを特徴とする付記１乃至４の何れか１つに記載の撮像装置である。
【００８３】
（付記６）
付記６に記載の発明は、前記検出手段は、前記撮影画角内の第１の領域における動作を、前記第１の動作と前記第２の動作として検出し、前記撮影画角内の第２の領域における動作を、前記第３の動作として検出する、ことを特徴とする付記５に記載の撮像装置である。
【００８４】
（付記７）
付記７に記載の発明は、前記第３の動作は、前記第２の領域に対して手をかざした後、その手を外す動作である、ことを特徴とする付記６に記載の撮像装置である。
【００８５】
（付記８）
付記８に記載の発明は、前記制御手段は、前記第２の領域で前記第３の動作が検出される度に、複数の撮影パラメータのうち、設定対象となる撮影パラメータを順次切り替える、ことを特徴とする付記６又は７に記載の撮像装置である。
【００８６】
（付記９）
付記９に記載の発明は、前記制御手段は、前記検出手段によって前記第２の動作が検出されると、前記第１の動作から前記第２の動作までの経過時間に基づいて撮影パラメータ値を変更し、さらに、前記検出手段によって前記撮影画角内で被写体の第４の動作が検出されると、前記撮像手段に撮影動作を実行させる、ことを特徴とする付記１乃至４の何れか１つに記載の撮像装置である。
【００８７】
（付記１０）
付記１０に記載の発明は、前記第４の動作は、前記撮影画角内の第３の領域に対して手をかざした後、その手を外す動作である、ことを特徴とする付記９に記載の撮像装置である。
【００８８】
（付記１１）
付記１１に記載の発明は、前記第４の動作は、前記撮影画角内の第３の領域に対して手をかざす動作であり、前記制御手段は、前記第４の動作の継続時間に基づいて前記撮像手段による撮影動作開始までの待機時間を設定する、ことを特徴とする付記９に記載の撮像装置である。
【００８９】
（付記１２）
付記１２に記載の発明は、撮像手段を備える撮像装置の制御方法であって、前記撮像手段による撮影画角内で被写体の第１の動作を検出するステップと、前記撮像手段による撮影画角内で被写体の第２の動作を検出するステップと、前記撮影画角内で被写体の第１の動作が検出され、前記撮影画角内で前記第１の動作に続く第２の動作が検出されると、前記第１の動作から前記第２の動作までの経過時間に基づいて撮影パラメータ値を変更するステップと、を含むことを特徴とする制御方法である。
【００９０】
（付記１３）
付記１３に記載の発明は、撮像手段を備える撮像装置を制御するコンピュータに、前記撮像手段による撮影画角内で被写体の第１の動作を検出する機能、前記撮像手段による撮影画角内で被写体の第２の動作を検出する機能、前記撮影画角内で被写体の第１の動作が検出され、前記撮影画角内で前記第１の動作に続く第２の動作が検出されると、前記第１の動作から前記第２の動作までの経過時間に基づいて撮影パラメータ値を変更する機能、を実行させることを特徴とするプログラムである。
【符号の説明】
【００９１】
１０  デジタルカメラ
１１  撮像レンズ
１２  絞り兼用シャッタ
１３  ＣＣＤ
１４  ＴＧ（Timing Generator）
１５  ユニット回路
１６  画像処理部
１７  レンズ駆動部
１８  ＣＰＵ
１９  ＤＲＡＭ
２０  メモリ
２１  フラッシュメモリ
２２  表示部
２３  キー入力部
２４  カードＩ／Ｆ
２５  メモリ・カード
【図１】
2015119242.tif 000003
【図２】
2015119242.tif 000004
【図３】
2015119242.tif 000005
【図４】
2015119242.tif 000006
【図５】
2015119242.tif 000007
【図６】
2015119242.tif 000008
【図７】
2015119242.tif 000009
【図８】
2015119242.tif 000010
【図９】
2015119242.tif 000011
【図１０】
2015119242.tif 000012
【図１１】
2015119242.tif 000013